(57)【要約】【課題】  本発明は、今までにない外観を呈し、かつ防水機能、断熱機能、結露防止機能、雪止め機能の強化、等を形成した屋根材に係るものである。【解決手段】  幅方向の側端縁に雄雌連結構造を形成した金属製屋根材Ｂの化粧面４の水下側の先端を下方に垂下すると共に先端を水下側に突出して突出片４ａを形成し、突出片４ａに波状４ｂを形成した屋根材Ａである。【選択図】図１
2005330719.tif 000002
【特許請求の範囲】
【請求項１】
幅方向の側端縁に雄雌連結構造を形成した金属製屋根材の化粧面の水下側の先端を下方に垂下すると共に先端を水下側に突出して突出片を形成し、該突出片に連続状の波状を形成したことを特徴とする屋根材。
【発明の詳細な説明】
【技術分野】
【０００１】
本発明は、今までにない外観を呈し、かつ防水機能、断熱機能、結露防止機能、雪止め機能の強化、等を形成した屋根材に係るものである。
【背景技術】
【０００２】
一般に、金属製板材をロール成形、プレス成形等して加工した屋根材は数多く上市され、耐振性、強度、施工性、重量の関係で、金属製屋根材が注目を浴びてきた。しかしながら、金属製屋根材は意匠性に乏しかった。（例えば、特許文献１、２参照）。また、凹凸が大きい瓦屋根のような屋根材に比べて、屋根に積もった雪が簡単に軒下に落下する危険性があり、屋根材本体に雪止め機能を付加した屋根材を使用した屋根構造が開発されている。（例えば、特許文献３、４参照）。
【０００３】
【特許文献１】特開２００２−０３８６５８号公報
【特許文献２】特開２００２−１５５６０２号公報
【特許文献３】特開２００１−００３５２４号公報
【特許文献４】特開２００２−１２１８６８号公報
【発明の開示】
【発明が解決しようとする課題】
【０００４】
しかしながら、雪止金具は施工途中に取り付けるために、（１）施工性が悪い、（２）施工が難しい、（３）施工を確実にしないと雨漏れの原因になる、（４）コスト高になる、（５）破損しやすい、等の欠点があった。また、金属製屋根材は加工性に限界があり、大きな凹凸の形成により美観性を向上することはできなかった。
【課題を解決するための手段】
【０００５】
本発明はこのような欠点を解決するために、幅方向の側端縁に雄雌連結構造を形成した金属製屋根材の化粧面の水下側の先端を下方に垂下すると共に先端を水下側に突出して突出片を形成し、突出片に波状を形成した屋根材を提供するものである。
【発明の効果】
【０００６】
本発明に係る屋根材によれば、（１）波状が今までにない外観を呈し、重厚な屋根を形成できる。（２）波状が雪止めの機能を具備するために、雪止金具施工による雨漏れの心配がない。（３）難しい雪止金具の施工がない。（４）コストの低下が図れる。（５）一般的なロール成形で加工された金属製屋根材を、折り曲げだけの簡単な加工で波状が形成できる。等の特徴、効果がある。
【発明を実施するための最良の形態】
【０００７】
以下に図面を用いて本発明に係る屋根材について詳細に説明する。図１（ａ）〜（ｃ）、図２、図３（ａ）、（ｂ）、および図４（ａ）、（ｂ）は金属製屋根材ＢとシートＣよりなる屋根材Ａの代表的一例を示す説明図であり、特に図４（ａ）、（ｂ）は施工状態とジョイナＤ（Ｅはパッキング材）を示す説明図である。図中、αは下地、βは釘等の固定具を示している。なお、図１（ａ）は図２のａ−ａ線端面図、図１（ｂ）は図２のａ−ａ線断面図、図１（ｃ）は図２のｂ−ｂ線断面図、図４（ｂ）は図４（ａ）のｃ−ｃ部端面図である。
【０００８】
下地αは、新築の際は図３（ａ）、（ｂ）に示すように垂木１、野地板２、防水シート３（一点鎖線で示す）から構成した木造下地を示したものである。すなわち、垂木１上に野地板２を敷設し、野地板２上に防水シート３を配設した一般的な構造の下地αである。また、下地αとしてＨ形鋼、Ｉ形鋼、ミゾ形鋼、軽量ミゾ形鋼、リップ溝形鋼、等辺山形鋼、不等辺山形鋼、角形鋼（角パイプ）、円形鋼（円形パイプ）、等を使用した鉄骨下地でも良いものである。勿論、既存の屋根をそのまま改修する屋根の際には、これら下地α上に新生瓦や瓦棒等の既存屋根（図示せず）が形成された既存屋根構造が下地αとなるものである。勿論、防水シート３を形成しない下地αでも良いものである。
【０００９】
金属製屋根材Ｂは、例えば金属板（カラー鋼板、銅板、アルミニウム板、チタン板、ステンレス板、サンドイッチ鋼板、クラッド鋼板等）等をロール成形、プレス成形、押出成形、等によって形成したものである。勿論、屋根材Ａの表面材として、金属製屋根材Ｂの代わりに窯業系素材、もしくは合成樹脂材（プラスチック）、等で形成してもよいものである。
【００１０】
さらに説明すると、金属製屋根材Ｂは長尺板状であり、図１（ｃ）に示すように、その幅方向一側縁を化粧面４の下側、すなわち、裏面５側に略コ字状に屈曲して段差化粧面６と差込縁７とを形成した雄型連結部９としたもので、化粧面４と段差化粧面６と差込縁７とから略コ字状の引っかけ溝８を形成し、化粧面４には化粧面４の水下側先端をさらに突出した突出片４ａと、図１（ｂ）、（ｃ）に示すように突出片４ａを上側に屈曲して波状４ｂを形成したものである。
【００１１】
また、図１（ａ）に示すように、化粧面４の他端には化粧面４の上側に屈曲して断面略Ｕ字状に形成した前記差込縁７と嵌合する嵌合溝１０と、嵌合溝１０の先端をコ字状に折り返した嵌合縁１１と、嵌合縁１１の先端を下方に屈曲すると共に化粧面４と略平行で外方にＬ字状に屈曲して延長した固定片１２を形成した雌型連結部１３を形成したものである。また、化粧面４の端部には図４（ｂ）に示すような係止片１４を形成し、図４（ａ）に示すジョイナＤの係合片１５に係止することにより屋根材Ａを下地α上に固定するものである。
【００１２】
シートＣは防水材、断熱材、吸音材、緩衝材、防火材、結露防止材、等として機能するものであり、不織布、合成樹脂製発泡シート（架橋化発泡ポリエチレンシート、等）、ロックウール、テックス（軟質繊維板）、ゴムシート、樹脂シート、等、あるいはこれらに遮音材、耐火材等を含浸、含有、混合、積層（一層、あるいは複数層）、サンドイッチ、等したものを使用することもできる。特に不織布は、縦糸と横糸を交差させて繊維から織物にする従来の方法と異なり、各種の繊維を接着剤等で結合した不織布等である。この不織布はまず繊維が平行に交差するか、また無秩序に配列された薄いフェルト状のものを接着剤で結合させるか、または主体となる繊維状態の中に別の熱可塑性繊維を混在させて、加熱および加圧して溶融し相互に結合させたりして作られたものである。勿論、素材自体に防水性の無いものには、樹脂材をコーティング、あるいは撥水剤、防水コーティング剤、等で防水機能を片面あるいは両面に付加したものである。
【００１３】
突出片４ａは、部分的に屈曲することにより波状４ｂを形成し、意匠性の向上と、雪止として機能する部分である。また、降雨時に流れてきた雨水の流速を低減し、雨樋への流水をスムーズにする機能も具備するものである。また、一般的なロール成形で加工された金属製屋根材Ｂを、突出片４ａを折り曲げる（プレス加工等）だけの簡単な加工で波状４ｂを形成できるものである。
【００１４】
以上説明したのは本発明に係る屋根材の一実施例にすぎず、図５（ａ）〜（ｃ）〜図１０（ａ）、（ｂ）に示すように形成することもできる。
【産業上の利用可能性】
【００１５】
壁材としても使用できるので、利用範囲が広範である。
【図面の簡単な説明】
【００１６】
【図１】本発明に係る屋根材の代表的一例を示す説明図である。
【図２】本発明に係る屋根材の代表的一例を示す説明図である。
【図３】本発明に係る屋根材の施工状態を示す説明図である。
【図４】本発明に係る屋根材の使用状態を示す説明図である。
【図５】本発明に係る屋根材のその他の例を示す説明図である。
【図６】本発明に係る屋根材のその他の例を示す説明図である。
【図７】本発明に係る屋根材のその他の例を示す説明図である。
【図８】本発明に係る屋根材のその他の例を示す説明図である。
【図９】本発明に係る屋根材のその他の例を示す説明図である。
【図１０】本発明に係る屋根材のその他の例を示す説明図である。
【符号の説明】
【００１７】
α  下地
β  固定具
γ  空間
Ａ  屋根材
Ｂ  金属製屋根材
Ｃ  シート
Ｄ  ジョイナ
Ｅ  パッキング材
１  垂木
２  野地板
３  防水シート
４  化粧面
４ａ  突出片
４ｂ  波状
５  裏面
６  段差化粧面
７  差込縁
８  引っかけ溝
９  雄型連結部
１０  嵌合溝
１１  嵌合縁
１２  固定片
１３  雌型連結部
１４  係止片
１５  係合片
【図１】
2005330719.tif 000003
【図２】
2005330719.tif 000004
【図３】
2005330719.tif 000005
【図４】
2005330719.tif 000006
【図５】
2005330719.tif 000007
【図６】
2005330719.tif 000008
【図７】
2005330719.tif 000009
【図８】
2005330719.tif 000010
【図９】
2005330719.tif 000011
【図１０】
2005330719.tif 000012